(57)【要約】【課題】  ユーザーが事前に設定した文字列情報や、デジタルカメラで記録される音声情報や、デジタルカメラで一時的に入力された情報などを一元的に表示し、自由に検索設定可能にすることによって、ユーザーの操作性を向上させることができる画像読み取り装置を提供する。【解決手段】  ユーザーが事前に設定した文字列情報や、デジタルカメラ装置で記録される音声情報や、デジタルカメラ装置で一時的に入力された情報などの画像に付加される付加情報が一元的に表示されると共に、ユーザーがその表示された付加情報を自由に検索設定する構成となっている。【選択図】      図３
2004304776.tif 000002
【特許請求の範囲】
【請求項１】
画像データの取り込みを行う画像取り込み装置であって、
画像データ取り込み手段と、前記画像データ取り込み手段で取り込んだ画像データに付加する付加情報の項目と前記項目に対応した内容を一元的に表示すると共に、前記表示された付加情報を選択し、前記選択された付加情報を更新するための表示選択手段を備えたことを特徴とする画像取り込み装置。
【請求項２】
請求項１の画像取り込み装置において、
前記画像取り込み装置は、音声記録手段と、文字入力手段と、を更に備え、前記付加情報は、事前に設定された文字列情報（カメラメモデータ）と、前記音声記録手段で記録された音声データと、前記文字入力手段で入力された文字データの少なくとも何れか一つで構成されることを特徴とする画像取り込み装置。
【請求項３】
請求項２の画像取り込み装置において、
前記表示選択手段で選択された付加情報、または前記表示選択手段で選択され更新された付加情報を、前記画像取り込み手段で取り込んだ画像データのヘッダーとして添付し、一つのファイルとして記録媒体に記録することを特徴とする画像取り込み装置。
【請求項４】
請求項３の画像取り込み装置において、
前記表示選択手段は、選択された付加情報の構成の少なくとも一部を、前記音声記録手段で記録した音声データに更新する音声入力更新手段を更に有し、前記表示選択手段で選択され更新された付加情報を、前記画像取り込み手段で取り込んだ画像データのヘッダーとして添付し、一つのファイルとして記録媒体に記録することを特徴とする画像取り込み装置。
【請求項５】
請求項３の画像取り込み装置において、
前記表示選択手段は、選択された付加情報の構成の少なくとも一部を、前記文字入力手段で入力した文字データに更新する文字入力更新手段を更に有し、前記表示選択手段で選択され更新された付加情報を、前記画像取り込み手段で取り込んだ画像データのヘッダーとして添付し、一つのファイルとして記録媒体に記録することを特徴とする画像取り込み装置。
【請求項６】
請求項３の画像取り込み装置において、
前記表示選択手段は、前記文字列情報（カメラメモデータ）を選択し、前記選択された文字列情報（カメラメモデータ）の構成の少なくとも一部を、前記文字入力手段で入力した文字データに更新する文字列情報（カメラメモデータ）更新手段を更に有し、前記表示選択手段で選択され更新された文字列情報（カメラメモデータ）を、前記画像取り込み手段で取り込んだ画像データのヘッダーとして添付し、一つのファイルとして記録媒体に記録することを特徴とする画像取り込み装置。
【請求項７】
請求項２乃至６の画像取り込み装置において、
前記文字列情報（カメラメモデータ）は、前記画像取り込み装置外部から前記画像取り込み装置に入力されることを特徴とする画像取り込み装置。
【請求項８】
請求項３乃至７の画像取り込み装置において、
前記記録媒体が、前記画像取り込み装置に着脱可能となっていることを特徴とする画像取り込み装置。
【発明の詳細な説明】
【技術分野】
【０００１】
この発明は、デジタルカメラ装置、デジタルムービー等の画像取り込み装置に関し、特に、ユーザーが付加情報の項目と内容を一元的に表示し、自由に選択更新可能とすることによって、ユーザーの操作性を向上させることができる画像読み取り装置に関するものである。
【背景技術】
【０００２】
一般に、デジタルカメラ装置、デジタルムービー、その他連写機能を有する画像取込装置において、撮影した画像データに、付加情報として文字データを付加する技術に関しては、さまざまな提案がなされている。例えば、デジタルカメラ装置の撮影方式として、様々な情報を撮影した画像と一緒に記録する方式が提案されている。画像と一緒に添付された情報は、パソコン（ＰＣ）などに転送して、様々な後処理を行うための情報として利用される。
なお、先行技術としては、当出願人により提案されている、特開２００２−１５８９５３公報（デジタルカメラは記録すべき被記録対象の１または複数のカット名を含む撮影リストを入力し、撮影リストに含まれるカット名を表示部１０４に表示し、撮影リストのカット名を確認しながら撮影を行い、撮影リスト入力手段は、接続されるＷｅｂサーバのホームページをブラウジングして、ホームページ上の撮影リストをダウンロードするＷｅｂブラウジング手段をも含む）等が挙げられる。
【特許文献１】特開２００２−１５８９５３公報
【発明の開示】
【発明が解決しようとする課題】
【０００３】
しかしながら、前記従来のデジタルカメラにおいては、事前に設定された文字列情報や、デジタルカメラで記録される音声情報や、デジタルカメラに入力された文字情報などの付加情報の項目と内容を一元的に表示し、自由に選択更新することはできないという問題点があった。
本発明の目的は、ユーザーが事前に設定した文字列情報や、デジタルカメラで記録される音声情報や、デジタルカメラに入力された文字情報などの付加情報を一元的に表示し、自由に選択更新可能とすることによって、ユーザーの操作性を向上させることができる画像取り込み装置を提供することである。
【課題を解決するための手段】
【０００４】
上述の目的を達成するために、請求項１記載の発明は、画像データの取り込みを行う画像取り込み装置であって、画像データ取り込み手段と、前記画像データ取り込み手段で取り込んだ画像データに付加する付加情報の項目と前記項目に対応した内容を一元的に表示すると共に、前記表示された付加情報を選択し、前記選択された付加情報を更新するための表示選択手段を備えたことを特徴とする。
また、請求項２記載の発明は、請求項１の画像取り込み装置において、前記画像取り込み装置は、音声記録手段と、文字入力手段とを更に備え、前記付加情報は、事前に設定された文字列情報（カメラメモデータ）と、前記音声記録手段で記録された音声データと、前記文字入力手段で入力された文字データの少なくとも何れか一つで構成されることを特徴とする。
したがって、設定された文字列情報や、デジタルカメラ装置で記録される音声情報や、デジタルカメラ装置に入力された文字情報などの画像に付加される付加情報の項目と内容が一元的に表示されると共に、ユーザーがその表示された付加情報の項目と内容を選択更新することが可能になるので、ユーザーの操作性が格段に向上する。
また、請求項３記載の発明は、請求項２の画像取り込み装置において、前記表示選択手段で選択された付加情報、または前記表示選択手段で選択され更新された付加情報を、前記画像取り込み手段で取り込んだ画像データのヘッダーとして添付し、一つのファイルとして記録媒体に記録することを特徴とする。
したがって、設定された文字列情報や、デジタルカメラ装置で記録される音声情報や、デジタルカメラ装置に入力された文字情報などの画像に付加される付加情報の項目と内容が一元的に表示されると共に、ユーザーがその表示された付加情報の項目と内容を選択更新することが可能になり、更に、画像データと付加情報が一つのファイルにまとまるので、前記ファイルをデジタルカメラ装置以外の、例えばＰＣなどの装置で使用する際のファイルに、画像ファイルと付加情報を一括して取り扱うことが可能となり、ユーザーの操作性が格段に向上する。
【０００５】
また、請求項４記載の発明は、請求項３の画像取り込み装置において、前記表示選択手段は、選択された付加情報の構成の少なくとも一部を、前記音声記録手段で記録した音声データに更新する音声入力更新手段を更に有し、前記表示選択手段で選択され更新された付加情報を、前記画像取り込み手段で取り込んだ画像データのヘッダーとして添付し、一つのファイルとして記録媒体に記録することを特徴とする。
したがって、設定された文字列情報や、デジタルカメラ装置で記録される音声情報や、デジタルカメラ装置に入力された文字情報などの画像に付加される付加情報の項目と内容が一元的に表示されると共に、ユーザーがその表示された付加情報の項目と内容を選択更新することが可能になり、更に、画像データと付加情報が一つのファイルにまとまるので、前記ファイルをデジタルカメラ装置以外の、例えばＰＣなどの装置で使用する際のファイルに、画像ファイルと付加情報を一括して取り扱うことが可能となり、更に、設定されていない情報を音声入力することで設定できるので、ユーザーの操作性が格段に向上する。
また、請求項５記載の発明は、請求項３の画像取り込み装置において、前記表示選択手段は、選択された付加情報の構成の少なくとも一部を、前記文字入力手段で入力した文字データに更新する文字入力更新手段を更に有し、前記表示選択手段で選択され更新された付加情報を、前記画像取り込み手段で取り込んだ画像データのヘッダーとして添付し、一つのファイルとして記録媒体に記録することを特徴とする。
したがって、設定された文字列情報や、デジタルカメラ装置で記録される音声情報や、デジタルカメラ装置に入力された文字情報などの画像に付加される付加情報の項目と内容が一元的に表示されると共に、ユーザーがその表示された付加情報の項目と内容を選択更新することが可能になり、更に、画像データと付加情報が一つのファイルにまとまるので、前記ファイルをデジタルカメラ装置以外の、例えばＰＣなどの装置で使用する際のファイルに、画像ファイルと付加情報を一括して取り扱うことが可能となり、更に、設定されていない情報を文字入力することで設定できるので、ユーザーの操作性が格段に向上する。
【０００６】
また、請求項６記載の発明は、請求項３の画像取り込み装置において、前記表示選択手段は、前記文字列情報（カメラメモデータ）を選択し、前記選択された文字列情報（カメラメモデータ）の構成の少なくとも一部を、前記文字入力手段で入力した文字データに更新する文字列情報（カメラメモデータ）更新手段を更に有し、前記表示選択手段で選択され更新された文字列情報（カメラメモデータ）を、前記画像取り込み手段で取り込んだ画像データのヘッダーとして添付し、一つのファイルとして記録媒体に記録することを特徴とする。
したがって、設定された文字列情報や、デジタルカメラ装置で記録される音声情報や、デジタルカメラ装置に入力された文字情報などの画像に付加される付加情報の項目と内容が一元的に表示されると共に、ユーザーがその表示された付加情報の項目と内容を選択更新することが可能になり、更に、画像データと付加情報が一つのファイルにまとまるので、前記ファイルをデジタルカメラ装置以外の、例えばＰＣなどの装置で使用する際のファイルに、画像ファイルと付加情報を一括して取り扱うことが可能となり、更に、設定された文字列情報を文字入力することで更新できるので、ユーザーの操作性が格段に向上する。
また、請求項７記載の発明は、請求項２乃至６の画像取り込み装置において、前記文字列情報（カメラメモデータ）は、前記画像取り込み装置外部から前記画像取り込み装置に入力されることを特徴とする。
また、請求項８記載の発明は、請求項３乃至７の画像取り込み装置において、前記記録媒体が、前記画像取り込み装置に着脱可能となっていることを特徴とする。
したがって、設定された文字列情報や、デジタルカメラ装置で記録される音声情報や、デジタルカメラ装置に入力された文字情報などの画像に付加される付加情報の項目と内容が一元的に表示されると共に、ユーザーがその表示された付加情報の項目と内容を選択更新することが可能になり、更に、画像データと付加情報が一つのファイルにまとまるので、前記ファイルをデジタルカメラ装置以外の、例えばＰＣなどの装置で使用する際のファイルに、画像ファイルと付加情報を一括して取り扱うことが可能となり、更に、設定された文字列情報を文字入力することで更新でき、更に、文字列情報をＰＣなどの外部機器で編集することが可能となり、着脱可能な記録媒体によりデジタルカメラ装置とＰＣなどの外部機器間で、データや情報の受け渡しが容易になるので、ユーザーの操作性が格段に向上する。
【発明の効果】
【０００７】
以上の説明から理解されるように、本発明によれば、事前に設定された文字列情報や、デジタルカメラ装置で記録される音声情報や、デジタルカメラ装置に入力された文字情報などの画像に付加される付加情報の項目と内容が一元的に表示されると共に、ユーザーがその表示された付加情報を自由に選択更新することが可能になるので、ユーザーの操作性が格段に向上する。
また、設定されていない情報を音声や文字で入力できるので、情報の追加が容易になり、ユーザーの操作性が格段に向上する。
また、事前に設定された情報を更新できるので、情報の変更が容易になり、ユーザーの操作性が格段に向上する。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の一実施形態であるデジタルカメラ装置のハードウエアの構成図である。また、図７は、図１で示したハードウエア構造を持つデジタルカメラの外観図である。
図１に示すように、このデジタルカメラ装置（画像取り込み装置）は、システムバス１に、ＣＰＵ２と、プログラムを格納するＦＲＯＭ３と、プログラムやデータのワーク領域のＲＡＭ４と、撮影された画像ファイルやシステムファイルやデータファイルなどを格納する内蔵メモリ５と、ハードキーユニット８と、ハードキーを検出するキー制御部７と、キー制御部７とＣＰＵ２との間で情報交換を行うキー制御部Ｉ／Ｆ６と、ＲＡＭ４に置かれている画像情報をビデオの信号に変換して出力するビデオ制御部９と、ビデオ制御部９に接続されているテレビ１０と、ＲＡＭ４に置かれている画像情報をＬＣＤ表示信号に変換して出力するＬＣＤ制御部１１と、ＬＣＤ制御部１１に接続されているＬＣＤユニット１２と、レンズやレンズを駆動するメカやＣＣＤを搭載するレンズユニット１４と、レンズユニット１４から出力される画像信号をＲＧＢデータやＹｃｂＣｒデータなどのフレームデータに変換し必要な画像処理を行うカメラ制御部１３と、カメラ制御部１３からの画像信号をＪＰＥＧなどの圧縮データに変換したりＪＰＥＧなどの圧縮データを伸長してＹＵＶなどの画像データに変換する画像圧縮伸長制御部１５と、ＳＤカード１７のデータの読み出し書込みを制御するカード制御部１６と、パソコン（ＰＣ）１９とＵＳＢ接続通信を行うＵＳＢ制御部１８と、マイク２１とスピーカー２２に対し音声の入力出力を制御する音声制御部２０と、が接続された構成となっている。
【０００９】
次に、前記デジタルカメラ装置の全体動作について説明する。
まず、通常の撮影は、ハードキーユニット８で撮影開始を認識し、レンズユニット１４で画像を取込む。レンズユニット１４から出力される画像信号をカメラ制御部１３によってＲＧＢデータや、ＹｃｂＣｒデータなどのフレームデータに変換し、必要な画像処理を行った後、画像データをＲＡＭ４に転送する。転送された画像データは、画像圧縮伸長制御部１５でＪＰＥＧなどの画像データに圧縮され、再びＲＡＭ４に転送される。ＲＡＭ４に格納されたＪＰＥＧなどの画像データは、必要なヘッダー処理を行った後、内蔵メモリ５もしくはカード制御部１６を介してＳＤカード１７に記録される。
撮影した画像データに情報を付加するカメラメモ機能について説明する。ＳＤカード１７には、事前にＰＣなどで作成された文字列情報（カメラメモデータ）が格納されており、デジタルカメラ装置は、電源ＯＮのシステム起動時に、ＳＤカード１７に事前に格納されている文字列情報（カメラメモデータ）を、ＲＡＭ４にロードしてシステム内へ取込む。取込まれた文字列情報（カメラメモデータ）は、ユーザーの操作によって選択可能となる。選択された文字列情報（カメラメモデータ）は、前記の撮影処理の、必要なヘッダー処理を行う箇所で、付加情報として、取込んだ画像情報と一緒に、内蔵メモリ５もしくはカード制御部１６を介してＳＤカード１７に記録される。
【００１０】
一時メモ入力機能と音声メモ機能は、ＳＤカード１７に事前に格納されていないデータを画像に付加するための機能である。
一時メモ入力機能について説明する。ユーザーは、デジタルカメラ装置のハードキーユニット８を使用して任意の情報を指定し、その任意の情報を、前記の撮影処理における必要なヘッダー処理を行う箇所で、付加情報として、取込んだ画像情報と一緒に内蔵メモリ５もしくはカード制御部１６を介してＳＤカード１７に記録する。
音声メモ機能について説明する。ユーザーの操作によって、音声制御部２０とマイク２１を使って、音声を入力する。入力された音声データは、ＲＡＭ４に一時的に格納され、内蔵メモリ５もしくはカード制御部１６を介してＳＤカード１７に記録される。記録された音声データは、前記の撮影処理の、必要なヘッダー処理を行う箇所で、付加情報として、取込んだ画像情報と一緒に、内蔵メモリ５もしくはカード制御部１６を介してＳＤカード１７に記録される。
図２は、本発明の一実施形態である文字列情報（カメラメモデータ）のフォーマットの一例を示す図である。
図２に示すように、文字列情報（カメラメモデータ）は、項目部と、項目部に対応した内容部とに別れ、［１］会社名、［２］所属事業部、［３］所属部署、［４］担当業務、［５］担当が項目部に該当する。項目部は、対応した複数の内容を有する。具体的には、図２では、［１］会社名は項目であり、対応する内容として、株式会社Ｒ、Ａ社、Ｂ社・・・Ｈ社を有する。
この文字列情報（カメラメモデータ）は、前記でも説明したように、事前にＳＤカード１７に格納されている。そして、デジタルカメラ装置は、電源ＯＮのシステム起動時に、ＳＤカード１７に事前に格納されている文字列情報（カメラメモデータ）を、ＲＡＭ４にロードしてシステム内に取込む。
【００１１】
図３は、付加情報の選択更新方法を説明した操作フローを示す図である（第１実施形態：請求項１、２、３）。
図３において、画面１は、通常撮影を行う際のモニタリング表示画面であり、レリーズシャッター（図７ＳＷ１）を押すことによって撮影が可能とする。画面２は、現在選択されている項目と項目に対応して選択されている内容を一覧表示する画面であり、画面２では、任意の項目を例えば、上下キー（図７ＳＷ７、ＳＷ１０）等を使用して選択可能とする。画面３は、文字列情報（カメラメモデータ）の中項目「会社名」に対応する複数の内容の一覧、すなわち文字列情報（カメラメモデータ）の内容「０１．株式会社Ｒ・・・０３．メモ設定内容０４」と、音声メモデータの内容「００．再生」と、一時メモ入力の内容「＋  一時メモ入力」を一覧表示する画面である。画面３は、任意の内容を上下キー（図７ＳＷ７、ＳＷ１０）を使用して選択可能とする。
画面１から画面２への移動は、例えば、メモ機能ＯＮ／ＯＦＦキー（図７ＳＷ１２）等で行い、画面２から画面１への移動は、ＭＥＮＵキー（図７ＳＷ６）で行う。画面２と画面３は、上下キー（図７ＳＷ７、ＳＷ１０）で画面２の項目を選択して、例えば、ＯＫキー（図７ＳＷ１２）等によって確定することで、画面３に移動し、画面３では、選択された項目に対応する文字列情報（カメラメモデータ）の内容と、音声メモデータの内容と、一時メモ入力の内容を表示し、上下キー（図７ＳＷ７、ＳＷ１０）で任意の内容を選択し、ＯＫキー（図７ＳＷ１２）等によって確定することで、画面２に戻る。
以上のようにして文字列情報（カメラメモデータ）の項目に対応する内容を選択し、撮影時に画像情報のヘッダー部分に格納される付加情報を設定する（付加情報選択更新方式−文字列情報（カメラメモデータ））。
【００１２】
なお、本発明では、ＳＤカード１７に事前に登録されている文字列情報（カメラメモデータ）の以外にも、付加情報として一時メモ入力を選択可能とする。
すなわち、図３において、画面４は、現在選択されている項目と項目に対応して選択されている内容を一覧表示する画面であり、画面４では、任意の項目を例えば、上下キー（図７ＳＷ７、ＳＷ１０）等を使用して選択可能とする。画面５は、文字列情報（カメラメモデータ）の項目「会社名」に対応する複数の内容の一覧、すなわち文字列情報（カメラメモデータ）の内容「０１．株式会社Ｒ・・・０３．メモ設定内容０４」と、音声メモデータの内容「００．録音」と、一時メモ入力の内容「＋  DESIGN CENTER」を一覧表示する画面である。画面５では、任意の内容を上下キー（図７ＳＷ７、ＳＷ１０）を使用して選択可能とする。
画面１から画面４への移動は、例えば、メモ機能ＯＮ／ＯＦＦキー（図７ＳＷ１２）等で行い、画面４から画面１への移動は、ＭＥＮＵキー（図７ＳＷ６）で行う。画面４と画面５は、上下キー（図７ＳＷ７、ＳＷ１０）で画面４の中項目を選択して、例えば、ＯＫキー（図７ＳＷ１２）等によって確定することで、画面５に移動し、画面５では、選択された項目に対応する文字列情報（カメラメモデータ）の内容と、音声メモデータの内容と、一時メモ入力の内容を表示し、上下キー（図７ＳＷ７、ＳＷ１０）で一時メモ入力の内容を選択し、ＯＫキー（図７ＳＷ１２）等によって確定することで、画面２に戻る。
ここで、画面２と画面４の違いは、画面２は、項目「会社名」に対応した内容に、ＳＤカード１７に事前に登録された文字列情報（カメラメモデータ）「株式会社Ｒ」が表示され、画面４には、項目「会社名」に対応した内容に、選択された一時メモ入力の内容「DESIGN CENTER」が表示されている。
以上のように文字列情報（カメラメモデータ）の項目に対応する内容として一時メモ入力機能で入力した内容を選択し、撮影時に画像情報のヘッダー部分に格納される付加情報を設定する（付加情報選択更新方式−一時メモ入力）。
【００１３】
なお、前記実施形態では、前記したＳＤカード１７に事前に登録されている文字列情報（カメラメモデータ）および一時メモ入力以外にも、付加情報として音声メモデータを選択可能とする。
すなわち、図３において、画面６は、現在選択されている項目と項目に対応して選択されている内容を一覧表示する画面であり、画面６では、任意の項目を例えば、上下キー（図７ＳＷ７、ＳＷ１０）等を使用して選択可能とする。画面７は、文字列情報（カメラメモデータ）の項目「会社名」に対応する複数の内容の一覧、すなわち文字列情報（カメラメモデータ）の内容「０１．株式会社Ｒ・・・０３．メモ設定内容０４」と、音声メモデータの内容「００．再生」と、一時メモ入力の内容「＋  一時メモ入力」を一覧表示する画面である。画面７は、任意の内容を上下キー（図７ＳＷ７、ＳＷ１０）を使用して選択可能とする。
画面１から画面６への移動は、例えば、メモ機能ＯＮ／ＯＦＦキー（図７ＳＷ１２）等で行い、画面６から画面１への移動は、ＭＥＮＵキー（図７ＳＷ６）で行う。画面６と画面７は、上下キー（図７ＳＷ７、ＳＷ１０）で画面６の項目を選択して、例えば、ＯＫキー（図７ＳＷ１２）等によって確定することで、画面７に移動し、画面７では、選択された項目に対応する文字列情報（カメラメモデータ）の内容と、音声メモデータの内容と、一時メモ入力の内容を表示し、上下キー（図７ＳＷ７、ＳＷ１０）で音声メモデータの内容を選択し、ＯＫキー（図７ＳＷ１２）等によって確定することで、画面６に戻る。
ここで、画面２と画面６の違いは、画面２は、項目「会社名」に対応した内容に、ＳＤカード１７に事前に登録された文字列情報（カメラメモデータ）「株式会社Ｒ」が表示され、画面６には、項目「会社名」に対応した内容に、選択された音声メモデータが表示されている。
以上のように、文字列情報（カメラメモデータ）の項目に対応する内容として音声メモ機能で、入力した内容を選択し、撮影時に画像情報のヘッダー部分に格納される付加情報を設定する（付加情報選択更新方式−音声メモデータ）。
【００１４】
図４は、音声メモ入力の操作フローを示す図である（第２実施形態：請求項４）。
図４において、画面１は、通常撮影を行う際のモニタリング表示画面であり、レリーズシャッター（図７ＳＷ１）を押すことによって撮影が可能とする。画面２は、現在選択されている項目と項目に対応して選択されている内容を一覧表示する画面であり、画面２では、任意の項目を例えば、上下キー（図７ＳＷ７、ＳＷ１０）等を使用して選択可能とする。画面３は、文字列情報（カメラメモデータ）の項目「会社名」に対応する複数の内容の一覧、すなわち文字列情報（カメラメモデータ）の内容「０１．株式会社Ｒ・・・０３．メモ設定内容０４」と、音声メモデータの内容「００．録音」と、一時メモ入力の内容「＋  一時メモ入力」を一覧表示する画面である。画面３は、任意の内容を上下キー（図７ＳＷ７、ＳＷ１０）を使用して選択可能とする。
画面１から画面２への移動は、例えば、メモ機能ＯＮ／ＯＦＦキー（図７ＳＷ１２）等で行い、画面２から画面１への移動は、ＭＥＮＵキー（図７ＳＷ６）で行う。画面２と画面３は、上下キー（図７ＳＷ７、ＳＷ１０）で画面２の項目を選択して、例えば、ＯＫキー（図７ＳＷ１２）等によって確定することで、画面３に移動し、画面３では、選択された項目に対応する文字列情報（カメラメモデータ）の内容と、音声メモデータの内容と、一時メモ入力の内容を表示し、上下キー（図７ＳＷ７、ＳＷ１０）で任意の内容を選択し、ＯＫキー（図７ＳＷ１２）等によって確定することで、画面２に戻る。以上が付加情報の選択更新画面及び操作である。
【００１５】
次に、本発明の音声メモ入力方式の操作フローを使って音声記録について説明する。
図４において、画面３で、上下キー（図７ＳＷ７、ＳＷ１０）を使って、音声メモデータを選択する。音声メモデータを選択した状態でＯＫキー（図７ＳＷ１２）を押すと、画面４の音声記録開始画面を表示する。
画面４では、例えばレリーズシャッター（図７ＳＷ１）等を押すことによって音声の記録を開始し、画面５の音声記録中の画面を表示する。画面５では、所定の時間経過後、もしくはレリーズシャッター（図７ＳＷ１）を押すことによって音声の記録を完了し、画面６に移動する。
画面３と画面６の違いは、音声メモデータの有無であり、音声メモデータが無い場合（画面３）は、音声メモデータは録音と表示され、音声メモデータがある場合（画面６）は、音声メモは再生と表示される。
画面６の状態では、画面３と同じように、選択された項目に対応する文字列情報（カメラメモデータ）の内容と、音声メモデータの内容と、一時メモ入力の内容を表示し、上下キー（図７ＳＷ７、ＳＷ１０）で項目を選択し、ＯＫキー（図７ＳＷ１２）等によって確定することで、画面２に戻る。
【００１６】
次に、本発明の音声メモ入力方式の操作フローを使って音声再生について説明する。
図４において、一度、前記音声記録を実行すると、画面３の音声メモデータの表示が、記録から再生に変わり、これが画面６となる。画面６から上下キー（図７ＳＷ７、ＳＷ１０）を使って、音声メモデータを選択する。選択された状態でＯＫキー（図７ＳＷ１２）を押すと、画面７の音声再生開始画面が表示される。画面７では、例えばレリーズシャッター（図７ＳＷ１）等を押すことによって音声の再生を開始し、画面８の音声再生中の画面を表示する。画面８では、音声の再生が完了すると、画面９に自動的に移動する。
画面９では、音声メモデータの再記録を実行するかどうかの確認画面を表示する。ＹＥＳを選択すると画面４に移動する。ＮＯを選択すると画面６に移動する。
ＹＥＳとＮＯの選択は、例えば、左右キー（図７ＳＷ１１、ＳＷ８）等を使って行い、ＯＫキー（図７ＳＷ１２）等を使って確定する。
以上のように音声メモ入力方式の操作フローを実施することによって、音声記録／再生機能を利用した画像データの情報付加機能が実現され、事前に登録されていない文字列情報（カメラメモデータ）の内容を、音声で入力し、画像データに付加することができる。
【００１７】
図５は、一時メモ入力の操作フロー１を示す図である（第３実施形態：請求項５）。
図５において、画面１は、通常撮影を行う際のモニタリング表示画面であり、レリーズシャッター（図７ＳＷ１）を押すことによって撮影が可能とする。画面２は、現在選択されている項目と項目に対応して選択されている内容を一覧表示する画面であり、画面２では、任意の項目を例えば、上下キー（図７ＳＷ７、ＳＷ１０）等を使用して選択可能とする。画面３は、文字列情報（カメラメモデータ）の項目「会社名」に対応する複数の内容の一覧、すなわち文字列情報（カメラメモデータ）の内容「０１．株式会社Ｒ・・・０３．メモ設定内容０４」と、音声メモデータの内容「００．録音」と、一時メモ入力の内容「＋  一時メモ入力」を一覧表示する画面である。画面３では、任意の内容を上下キー（図７ＳＷ７、ＳＷ１０）を使用して選択可能とする。
画面１から画面２への移動は、例えば、メモ機能ＯＮ／ＯＦＦキー（図７ＳＷ１２）等で行い、画面２から画面１への移動は、ＭＥＮＵキー（図７ＳＷ６）で行う。画面２と画面３は、上下キー（図７ＳＷ７、ＳＷ１０）で画面２の中項目を選択して、例えば、ＯＫキー（図７ＳＷ１２）等によって確定することで、画面３に移動し、画面３では、選択された項目に対応する文字列情報（カメラメモデータ）の内容と、音声メモデータの内容と、一時メモ入力の内容を表示し、上下キー（図７ＳＷ７、ＳＷ１０）で任意の内容を選択し、ＯＫキー（図７ＳＷ１２）等によって確定することで、画面２に戻る。以上が付加情報の選択更新画面及び操作である。
【００１８】
次に、本発明の一時メモ入力方式の操作フロー１を使って一時メモ入力処理について説明する。
図５において、画面３で、上下キー（図７ＳＷ７、ＳＷ１０）を使って、一時メモ入力を選択する。
一時メモ入力を選択した状態でＯＫキー（図７ＳＷ１２）を押すと、画面４のソフトキーボード画面が表示される。
画面４のソフトキーボードでは、例えば上下左右キー（図７ＳＷ７、ＳＷ１０、ＳＷ１１、ＳＷ８）等を使って、ソフトキーボード上の文字や、空白や、後退や、全消去を選択し、例えば、ソフトキーボード画面の上部のテキスト領域に、ソフトキーボードで入力された文字列を表示する。適当な文字列を入力した後、例えばＯＫキー（図７ＳＷ１２）等を使って確定することで、画面６に移動する。
画面３と画面６の違いは、ソフトキーボードで入力された文字列の表示の有無である。画面６では、入力された文字列「DESIGN CENTER」がテキスト領域に表示されている。
画面６の状態では、画面３と同じように、選択された項目に対応する文字列情報（カメラメモデータ）の内容と、音声メモデータの内容と、一時メモ入力の内容を表示し、上下キー（図７ＳＷ７、ＳＷ１０）で項目を選択し、ＯＫキー（図７ＳＷ１２）等によって確定することで、画面２に戻る。
以上のように一時メモ入力方式の操作フローを実施することによって、事前に登録されていない文字列情報（カメラメモデータ）の内容を入力し、画像データに付加することができる。
【００１９】
図６は、一時メモ入力の操作フロー２を示す図である（第４実施形態：請求項６）。
図６において、画面１は、通常撮影を行う際のモニタリング表示画面であり、レリーズシャッター（図７ＳＷ１）を押すことによって撮影が可能とする。画面２は、現在選択されている項目と項目に対応して選択されている内容を一覧表示する画面であり、画面２では、任意の項目を例えば、上下キー（図７ＳＷ７、ＳＷ１０）等を使用して選択可能とする。画面３は、文字列情報（カメラメモデータ）の項目「会社名」に対応する複数の内容の一覧、すなわち文字列情報（カメラメモデータ）の内容「０１．株式会社Ｒ・・・０３．メモ設定内容０４」と、音声メモデータの内容「００．録音」と、一時メモ入力の内容「＋  一時メモ入力」を一覧表示する画面である。画面３は、任意の内容を上下キー（図７ＳＷ７、ＳＷ１０）を使用して選択可能とする。
画面１から画面２への移動は、例えば、メモ機能ＯＮ／ＯＦＦキー（図７ＳＷ１２）等で行い、画面２から画面１への移動は、ＭＥＮＵキー（図７ＳＷ６）で行う。画面２と画面３は、上下キー（図７ＳＷ７、ＳＷ１０）で画面２の中項目を選択して、例えば、ＯＫキー（図７ＳＷ１２）等によって確定することで、画面３に移動し、画面３では、選択された中項目に対応する文字列情報（カメラメモデータ）の内容と、音声メモデータの内容と、一時メモ入力の内容を表示し、上下キー（図７ＳＷ７、ＳＷ１０）で任意の内容を選択し、ＯＫキー（図７ＳＷ１２）等によって確定することで、画面２に戻る。以上が付加情報の選択更新画面及び操作である。
【００２０】
次に、本発明の一時メモ入力方式の操作フロー２を使って事前登録された文字列情報（カメラメモデータ）を編集して一時メモ入力とする操作フローについて説明する。
図６において、画面３で、上下キー（図７ＳＷ７、ＳＷ１０）を使って、ＳＤカード１７から読込んだカメラメモデータの項目に対応した内容を選択する。内容を選択した状態でＯＫキー（図７ＳＷ１２）を押すと、画面４のソフトキーボード画面を表示する。この時、ソフトキーボード画面上部のテキスト領域には、選択された文字列情報（カメラメモデータ）の内容の文字列が自動的に表示される。ソフトキーボードでは、例えば上下左右キー（図７ＳＷ７、ＳＷ１０、ＳＷ１１、ＳＷ８）等を使って、ソフトキーボード上の文字や、空白や、後退や、全消去を選択し、テキスト領域に表示された内容の文字列を編集する。編集した後、例えばＯＫキー（図７ＳＷ１２）等で、画面６に移動する。画面３と画面６の違いは、ソフトキーボードで入力された編集された文字列の表示である。画面３では、編集前の文字列「株式会社R」がテキスト領域に表示され、画面６では、編集された文字列「株式会社R  ABCD」がテキスト領域に表示されている。
画面６の状態では、画面３と同じように、選択された項目に対応する文字列情報（カメラメモデータ）の内容と、音声メモデータの内容と、一時メモ入力の内容を表示し、上下キー（図７ＳＷ７、ＳＷ１０）で項目を選択し、ＯＫキー（図７ＳＷ１２）等によって確定することで、画面２に戻る。
以上のように一時メモ入力方式の操作フロー２を実施することによって、事前に登録された文字列情報（カメラメモデータ）の内容を編集し、画像データに付加することができる。
【図面の簡単な説明】
【００２１】
【図１】本発明の一実施形態であるデジタルカメラ装置のハードウエアの構成図。
【図２】本発明の一実施形態であるカメラメモデータのフォーマットの一例を示す図。
【図３】カメラメモデータ入力方式の操作フローを示す図。
【図４】音声メモ入力方式の操作フローを示す図。
【図５】一時メモ入力方式の操作フロー１を示す図。
【図６】一時メモ入力方式の操作フロー２を示す図。
【図７】図１で示したハードウエア構造を持つデジタルカメラの外観図。
【符号の説明】
【００２２】
１…システムバス、２…ＣＰＵ、３…ＦＲＯＭ、４…ＲＡＭ、５…内蔵メモリ、６…キー制御インターフェース、７…キー制御部、８…ハードキー、９…ビデオ制御部、１０…テレビ、１１…ＬＣＤ制御部、１２…ＬＣＤユニット、１３…カメラ制御部、１４…レンズユニット、１５…画像圧縮伸長制御部、１６…カード制御部、１７…ＳＤカード、１８…ＵＳＢ制御部、１９…パソコン、２０…音声制御部、２１…マイク、２２…スピーカー
【図１】
2004304776.tif 000003
【図２】
2004304776.tif 000004
【図３】
2004304776.tif 000005
【図４】
2004304776.tif 000006
【図５】
2004304776.tif 000007
【図６】
2004304776.tif 000008
【図７】
2004304776.tif 000009